(57)【要約】【課題】光源の点灯・消灯を繰り返さなくとも、眩しさを低減できるようにする。【解決手段】光源８と、前記光源８の光が照射されて発光する発光観察面２と、前記発光観察面２に観察対象であるフィルムを支持するフィルム支持部５と、前記光源８の点灯・消灯を行うためのメインスイッチ２４と、を備えたフィルム観察装置において、前記発光観察面２の輝度を高輝度状態と低輝度状態とに切替可能なサブスイッチ７を備えている。【選択図】      図１
2005010297.tif 000002
【特許請求の範囲】
【請求項１】
光源と、
前記光源の光が照射されて発光する発光観察面と、
前記発光観察面に観察対象であるフィルムを支持するフィルム支持部と、
前記光源の点灯・消灯を行うためのメインスイッチと、
を備えたフィルム観察装置において、
前記発光観察面の輝度を高輝度状態と低輝度状態とに切替可能なサブスイッチを備えていることを特徴とするフィルム観察装置。
【請求項２】
前記サブスイッチは、前記フィルム支持部にセットされたフィルムを検出することによって前記発光観察面の輝度を高輝度状態に切り替えるものであることを特徴とする請求項１記載のフィルム観察装置。
【請求項３】
前記低輝度状態の輝度が、３５００ｃｄ／ｍ２以下に設定され、
前記サブスイッチによる高輝度状態への切替時には、瞬時に１０００ｃｄ／ｍ２以上輝度が上昇することを特徴とする請求項１又は２記載のフィルム観察装置。
【請求項４】
前記高輝度状態又は前記低輝度状態における輝度を調整するための輝度調整部を更に備えていることを特徴とする請求項１〜３のいずれかに記載のフィルム観察装置。
【請求項５】
光源と、
前記光源の光が照射されて発光する発光観察面と、
観察対象であるフィルムが差し込まれることによって当該フィルムを支持するフィルム支持部と、
前記光源の点灯・消灯を行うためのメインスイッチと、
を備えたフィルム観察装置において、
前記フィルム支持部へのフィルム差込量によって輝度が調整可能に構成されていることを特徴とするフィルム観察装置。
【請求項６】
光源と、
前記光源の光が照射されて発光する発光観察面と、
観察対象であるフィルムが差し込まれることによって当該フィルムを支持するフィルム支持部と、
前記光源の点灯・消灯を行うためのメインスイッチと、
を備えたフィルム観察装置において、
前記フィルム支持部へのフィルム差込位置によって輝度が調整可能に構成されていることを特徴とするフィルム観察装置。
【発明の詳細な説明】
【０００１】
【発明の属する技術分野】
本発明は、フィルム観察装置に関するものである。
【０００２】
【従来の技術】
フィルム観察装置としては、Ｘ線写真フィルムを観察するためのシャウカステンや、写真ネガを観察するためのものがあり、発光観察面にフィルムを重ねて当該フィルムの背後から光を照射させることで、フィルムを明りょうに観察することができる。
従来のシャウカステンは、発光観察面の背後に設置された蛍光灯の点灯・消灯を行うスイッチを備えており、使用時にはスイッチをＯＮにして蛍光灯を点灯させ、不使用時にはスイッチをＯＦＦにして蛍光灯を消灯させることができる。
【０００３】
ここで、スイッチをＯＮにしたままにすると、発光観察面が常に明るいため眩しく、いざＸ線写真フィルムを観察する際に、眩しさのため目が疲れ、適切な観察の妨げとなる場合があった。特に、マンモグラフィ用のシャウカステンのように高輝度な場合に、スイッチをＯＮにしたままにすると、眩しさが大きくなる。
【０００４】
一方、不使用時にはスイッチをＯＦＦにして、観察時だけスイッチをＯＮにすると、眩しさを低減できるが、蛍光灯の点灯・消灯が頻繁に行われ、ランプへの負荷が高くなり、蛍光灯の寿命が短くなる。特に、シャウカステンの場合、医師は１日に百数十回のフィルムの入れ替えを行うことがあり、蛍光灯への負荷が特に大きくなる。
【０００５】
また、蛍光灯は、点灯後、蛍光灯内部が暖まって輝度が十分に高まるまでに時間を要することがあるため、観察の度にスイッチをＯＮするのでは、フィルム観察の所要時間が長くなる。特に、気温が低い場合には、蛍光灯への負荷が大きく寿命の劣化や点灯直後の輝度低下が目立ってくる。
しかも、蛍光灯は、点灯時に大きな電力を必要とするため、点灯・消灯を繰り返すと消費電力が大きくなる。
【０００６】
【特許文献１】
特開昭５５−１６４８７８号公報
【特許文献２】
特開２００２−１８９４５１号公報
【０００７】
【発明が解決しようとする課題】
本発明の課題は、フィルム観察装置の光源の点灯・消灯を繰り返さなくとも、眩しさを低減できるようにすることである。
また、他の課題は、輝度調整を容易にすることである。
【０００８】
【課題を解決するための手段】
本発明は、光源と、前記光源の光が照射されて発光する発光観察面と、前記発光観察面に観察対象であるフィルムを支持するフィルム支持部と、前記光源の点灯・消灯を行うためのメインスイッチと、を備えたフィルム観察装置において、前記発光観察面の輝度を高輝度状態と低輝度状態とに切替可能なサブスイッチを備えていることを特徴とする。
【０００９】
本発明によれば、メインスイッチによって光源を点灯した状態から、さらにサブスイッチによって高輝度状態と低輝度状態とに切り替えることができるため、非観察時には、光源を消灯しなくとも低輝度状態にしておくことで、眩しさを低減することができる。しかも、低輝度にしておけば、光源を消灯せずにつけっぱなしにしておいても消費電力を抑えることができる。
【００１０】
また、前記サブスイッチは、前記フィルム支持部にセットされたフィルムを検出することによって前記発光観察面の輝度を高輝度状態に切り替えるものであるのが好ましい。この場合、フィルムをセットすると発光観察面が高輝度状態となって自動的に観察に適した輝度になり、フィルムを外すと低輝度状態となって眩しさが自動的に低減される。
【００１１】
また、前記低輝度状態の輝度が、３５００ｃｄ／ｍ２以下に設定され、
前記サブスイッチによる高輝度状態への切替時には、メインスイッチによる点灯時の輝度よりも高輝度になるのが好ましく、具体的には、瞬時に１０００ｃｄ／ｍ２以上輝度が上昇するのが好ましい。この場合、メインスイッチ点灯時の輝度が３５００ｃｄ／ｍ２以下（例えば、３０００ｃｄ／ｍ２程度又はそれ以下）であれば眩しさが比較的抑えられたものとなるが、フィルム観察には輝度が十分でない場合があるため、サブスイッチによって瞬時に高輝度にすることで、フィルム観察を直ちに適切に行うことができる。
【００１２】
なお、好ましくは、前記メインスイッチ点灯時における前記発光観察面の輝度が、１０００ｃｄ／ｍ２以下に設定され、前記サブスイッチは、前記発光観察面の輝度を約３０００ｃｄ／ｍ２以上に上昇させるものであるのが良い。
この場合、メインスイッチ点灯時における輝度が、１０００ｃｄ／ｍ２以下であれば、点灯していても輝度が十分に抑えられ眩しさをほとんど感じない。また、サブスイッチによって輝度を上昇させることで通常のフィルム観察に適した輝度が得られる。
【００１３】
あるいは、前記メインスイッチ点灯時における前記発光観察面の輝度が、３０００ｃｄ／ｍ２程度に設定され、前記サブスイッチは、前記発光観察面の輝度を約５０００ｃｄ／ｍ２以上に上昇させるものであるのが好ましい。この場合、３０００ｃｄ／ｍ２程度の輝度のときには、通常のフィルム観察用に適した状態となり、約５０００ｃｄ／ｍ２以上の輝度のときにはマンモグラフィなどの高精度のフィルム観察用に適した状態となる。
【００１４】
また、前記高輝度状態又は前記低輝度状態における輝度を調整するための輝度調整部を更に備えている場合には、観察者の好みに応じたカスタマイズが可能となる。
【００１５】
また、他の観点からみた本発明は、光源と、前記光源の光が照射されて発光する発光観察面と、観察対象であるフィルムが差し込まれることによって当該フィルムを支持するフィルム支持部と、前記光源の点灯・消灯を行うためのメインスイッチと、を備えたフィルム観察装置において、前記フィルム支持部へのフィルム差込量によって輝度が調整可能に構成されていることを特徴とする。この場合、光源点灯状態において輝度が調整可能であるから、輝度調整で輝度を落とすことで消灯することなく眩しさを低減できる。しかも、フィルム支持部へのフィルム差込量を変えることで輝度調整が可能であるから、輝度調整を簡単に行える。
【００１６】
更に他の観点からみた本発明は、光源と、前記光源の光が照射されて発光する発光観察面と、観察対象であるフィルムが差し込まれることによって当該フィルムを支持するフィルム支持部と、前記光源の点灯・消灯を行うためのメインスイッチと、を備えたフィルム観察装置において、前記フィルム支持部へのフィルム差込位置によって輝度が調整可能に構成されていることを特徴とする。この場合も、輝度調整で輝度を落とすことで消灯することなく眩しさを低減でき、しかもフィルム差込位置を変えることで輝度調整を簡単に行える。
【００１７】
【発明の実施の形態】
以下、本発明の好ましい実施形態を図面に基づいて説明する。
図１〜７は、フィルム観察装置の一例として、Ｘ線写真フィルムを観察するためのシャウカステン１を示している。図１に示すように、シャウカステン１は、正面に発光観察面２となる拡散板を備えた箱状の装置ハウジング３を具備している。発光観察面２は、Ｘ線写真フィルムＦを３枚掛（複数枚掛）できるように横長の矩形面とされている。
【００１８】
図２にも示すように、装置ハウジング３は、正面上部にフィルム支持部５を備えている。フィルム支持部５にＸ線写真フィルムを支持させることで、当該フィルムを発光観察面２上に重ねた状態で配置することができる。発光観察面２に重ねられたフィルムには、その背後から光が照射され、観察者（医師）がフィルムを明りょうに観察することができる。なお、フィルム支持部５は、３枚（複数枚）のフィルムを同時に支持できるように、発光観察面２の横方向長さと略同じ長さを持っている。
【００１９】
図３に示すように、フィルム支持部５は、下方から差し込まれたフィルムＦを挟み込んで保持するクリップ体であり、フィルム支持部５へのフィルムＦの抜き差しにより簡単に着脱が可能となっている。具体的には、フィルム支持部５は、発光観察面２との間にフィルムＦが差し込まれる挿入口６が形成されるように設けられており、挿入口６にフィルムＦが差し込まれると、フィルム支持部５の弾性力によって、挟持面５ａがフィルムＦを発光観察面２との間で挟み込んで保持する。
【００２０】
フィルム支持部５は、フィルム検出部７を備えており、フィルムＦがフィルム支持部５に差し込まれているか否かを検出することができる。フィルム検出部７は、後述のサブスイッチとして機能するものであり、フィルム支持部５内部に配置されている。フィルム検出部７は、フィルム７の接触を検出するマイクロスイッチによって構成されている。このフィルム検出部７は、フィルム支持部内部の奥側に配置されており、フィルムＦが検出部７の位置まで差し込まれて検出部７に当接すると、検出部７がＯＮとなる。また、フィルムＦが支持部５から引き抜かれてフィルムＦが検出部７から離れると検出部７はＯＦＦとなる。なお、検出部７は、フィルム挟持面５ａよりも奥に配置されており、支持部５へのフィルム差込量を少なくすれば（例えば、図３の位置でフィルムの差し込みを止めると）、検出部７によって検出されることなくフィルムＦを支持部５に支持させることも可能である。
【００２１】
図１に示すように、フィルム検出部７は、３個（複数個）配置されており、３枚のフィルムＦを横に並べて置いたときに、それぞれのフィルムを検出することができる。なお、各フィルム検出部７間の間隔は、１枚のフィルムＦの横幅より長く設定されており、フィルム検出部７間の位置にフィルムＦを差し込むと、検出部７によって検出されることがない。すなわち、フィルム検出部７間は、非検出領域となっている。
【００２２】
図４に示すように、装置ハウジング３内には、光源（光源ユニット）８と、光源を点灯するためのインバータ（点灯駆動装置）９と、インバータ９に接続される直流電源１０を備えている。
光源８は、発光観察面２の背後に位置して発光観察面２へ光を照射するものである。光源８としては長手方向両端に電極を有する冷陰極管蛍光ランプ１２（線状光源）が用いられており、１２本（複数本）のランプ１２が１組の光源ユニットを構成し、装置ハウジング３内には、３つ（複数）の光源ユニット８が並置されている。複数のランプ１２がユニット化されているため、ユニット８単位で装置ハウジング３への着脱を簡単に行うことができる。なお、光源ユニット８の大きさは、観察対象のフィルムＦの大きさと略等しいか、やや大きい程度とされており、３つの光源ユニット８は、図１における３枚のフィルムＦの背後の対応位置に配置されている。
【００２３】
図５にも示すように、光源ユニット８は、複数のランプ１２を平行に並べて各ランプ１２の長手方向両端を連結具１４にて連結して複数ランプを一体化したものである。各ランプ１２は、高圧側（ＨＯＴ側）となる端部が同方向に揃い、低圧側（ＧＮＤ側）となる端部が揃うように並べられている。各ランプ１２の高圧側となる端部からは、それぞれリード線１５が延設されており、２本のリード線が一組となって単一の高圧側コネクタ１６に接続されている。すなわち、一つの光源ユニット８は、６個の高圧側コネクタ１６を備えている。各ランプ１２の低圧側端部は、導電体１５によって連結され、導電体からは２本のリード線が延設され、その先端に低圧側コネクタ１８が設けられている。
【００２４】
図４に示すように、各光源ユニット８は、低圧側（導電体１７）側が上側に位置し、高圧側が下側に位置するように装置ハウジング３に取り付けられている。装置ハウジング３内は、高圧側（下側）が回路配置スペース２０とされており、この回路配置スペース２０は、発光観察面外に確保されている。前述のインバータ９及び直流電源１０は、点灯回路部２２を構成しており、この回路配置スペース２０に配置されている。
【００２５】
図６は、装置回路の全体を示しており、各光源ユニット８用の点灯回路部２２が、光源ユニット８の数に対応して３つ（複数）設けられており、各光源ユニット８は、それぞれ点灯回路部２２に接続されている。各点灯回路部２２は、観察対象であるフィルム１枚分に対応する発光観察面２の範囲にある光源（光源ユニット８）を点灯させるものであり、この点灯回路部２２が、３つ（複数個）備わっていることで、１枚のフィルムに対応する範囲毎に輝度をコントロールすることができる。
点灯回路部２２は、３つのインバータ９と１つの直流電源１０によって構成されている。３つの点灯回路部２２は、交流電源（１００Ｖ）に対して並列的に接続されている。各点灯回路部２２への電力供給のＯＮ／ＯＦＦはメインスイッチ２４によって行うことができ、全点灯回路部２２への電力供給ＯＮ／ＯＦＦを一括して操作できる。メインスイッチ２４は、装置ハウジング３（の側面）に取り付けられており、観察者がメインスイッチ２４を手で操作することにより、全光源ユニット８（発光観察面２全体）の点灯・消灯を一括して行うことができる。
【００２６】
直流電源１０は、交流を直流に変換して、インバータ９に直流電流を供給するものである。一つの直流電源１０には、３つのインバータ９が接続されており、各インバータ９には、それぞれ４本のランプが接続される（図６参照）。
各インバータ９は、外付けされた調光抵抗によって調光制御（出力電流制御）が行われるものである。この調光制御のため、インバータ９には、調光抵抗２５を含む調光部２６が接続されている。インバータ９は、調光部２６の抵抗が０Ωのとき調光最大（出力電流最大：高輝度）となり、調光抵抗が１０ｋΩのときに調光最小（出力電流最小：低輝度）となる。
【００２７】
調光部２６は、前述のフィルム検出部７をスイッチとして備えている。フィルム検出部７は、１０ｋΩの調光抵抗２５に対して並列に接続されている。フィルム検出部７がＯＦＦの場合、調光部２６の抵抗は調光抵抗２５の抵抗値と等しく１０ｋΩであり、調光最小（低輝度；例えば１０００ｃｄ／ｍ２以下）なる。一方、フィルム検出部７がＯＮの場合、調光部２６は短絡して抵抗は０Ωであり、調光最大（高輝度；例えば３０００ｃｄ／ｍ２程度）となる。
なお、低輝度としては、３５００ｃｄ／ｍ２以下が好ましく、より好ましくは１０００ｃｄ／ｍ２〜３５００ｃｄ／ｍ２である。高輝度としては、低輝度より高い輝度であって、かつ３０００ｃｄ／ｍ２以上が好ましく、より好ましくは３０００ｃｄ／ｍ２〜８０００ｃｄ／ｍ２である。また、低輝度と高輝度の差は、１０００ｃｄ／ｍ２以上あるのが好ましく、より好ましくは、２０００ｃｄ／ｍ２以上である
【００２８】
調光部２６は、一つの点灯回路部２２を構成する複数のインバータ９に対して共通化されており、フィルム検出部７のＯＮ／ＯＦＦによって一つの点灯回路部２２を構成するすべてのインバータ９を調光最大・調光最小に切り替えることができる。つまり、フィルム検出部７のＯＮ／ＯＦＦによって、対応する光源ユニット８を高輝度・低輝度に切り替えることができ、フィルム検出部７は、光源の点灯に関するサブスイッチとなっている。
【００２９】
サブスイッチであるフィルム検出部７は、検出対象となるフィルムＦの背後に位置する光源ユニット８の輝度を高輝度化するためのものであり、例えば、図１において右端の検出部７の位置にフィルムＦがあるときには、当該フィルムＦの背後の光源ユニット８が高輝度化する。また、図１において中央の検出部７の位置にフィルムＦがあるときには、当該フィルムＦの背後にある光源ユニット８が高輝度化する。図１において右端の検出部７についても同様である。
【００３０】
メインスイッチ２４をＯＮにするだけで、シャウカステンにフィルムＦをセットしていない場合には、サブスイッチ７がＯＦＦであるため、光源８は発光観察面２全体が１０００ｃｄ／ｍ２以下となるような低輝度で点灯する。この程度の輝度であれば、さほど明るくなく、観察者はさほど眩しさを感じない。低輝度点灯状態でフィルムＦをセットしてサブスイッチ７がＯＮになると、光源８は発光観察面２が３０００ｃｄ／ｍ２程度である高輝度に自動的かつ瞬時に切り替わる。そして、フィルムＦを外してサブスイッチ７がＯＦＦになると自動的かつ瞬時に低輝度に戻る。このように、フィルムＦを取り外すと低輝度になるため、わざわざメインスイッチ２４によって消灯しなくとも眩しさを軽減できる。
【００３１】
しかも、高輝度に切り替わるのは、セットされたフィルムＦの背後にある光源ユニット８だけであるため、発光観察面の中でフィルムＦがセットされていない範囲は、低輝度のままである。このように、発光観察面２は、フィルムＦがセットされた範囲に対応した範囲が部分的に高輝度化するため、フィルムＦがセットされていない範囲が高輝度化して眩しくなるのが防止されている。
【００３２】
また、本実施形態に係るシャウカステン１では、フィルムＦの着脱を繰り返しても、輝度の切替が行われるだけで、ランプ１２が点灯・消灯は行われないため、ランプ１２への負荷が低く、ランプ寿命を長くすることができる。また、蛍光ランプ１２は、点灯時に大きな電力を必要とするが、本実施形態に係るシャウカステン１では、フィルムＦの着脱を繰り返しても蛍光ランプ１２の点灯・消灯が行われないため、消費電力も低減できる。特に、フィルムＦ着脱回数が多い使用態様（１日あたり百数十回）にあっては、大きな消費電力低減が期待できる。
【００３３】
また、蛍光ランプは点灯後、しばらくすると蛍光ランプ内部が暖まり、輝度が上昇する特徴を有するため、フィルムＦをセットしてから光源を点灯すると、十分な明るさになるまで時間を要するが、本実施形態に係るシャウカステン１では、低輝度状態においてランプ１２が既に暖まっており、雰囲気温度が低くても、直ちに高輝度状態に達することができる。
【００３４】
さらに、シャウカステン１が低輝度状態にあるときには、照明として用いることもできる。例えば、観察者が複数枚のＸ線写真フィルムの中から観察したい写真を選ぶ場合、部屋の照明などに写真を透かして確認することがあるが、低輝度状態にあるシャウカステン１に透かすことで、この確認が可能であり、選んだ写真をシャウカステン１にセットすれば、自動的に高輝度状態となって観察が行える。つまり、確認・観察作業が簡単に行える。
【００３５】
シャウカステン１の輝度として、低輝度のときが３０００ｃｄ／ｍ２程度又はそれ以下、高輝度のときが５０００ｃｄ／ｍ２程度又はそれ以上に設定すると、このシャウカステン１は、高輝度が要求されるマンモグラフィ用として用いることができる。この場合、単にメインスイッチ２４をＯＮにするだけでは、３０００ｃｄ／ｍ２程度の低輝度状態となるが、フィルムＦをセットすると５０００ｃｄ／ｍ２程度の高輝度状態となって、マンモグラフィ用に適した輝度となる。
【００３６】
マンモグラフィ用のシャウカステン１がサブスイッチ７を有していない場合、メインスイッチ２４をＯＮにすると非常に高い輝度でつきっぱなしになるため、観察者は非常に眩しくなるが、非観察時には自動的に低輝度状態となるため眩しさを低減できる。
また、消灯状態から急に５０００ｃｄ／ｍ２程度の高輝度状態になると、輝度差が大きいため目への負担が大きくなるが、低輝度状態から高輝度状態になるのであれば、輝度差が比較的小さいため目の負担が少なくなる。
【００３７】
シャウカステン１が、低輝度状態において通常のＸ線写真フィルムＦが観察できる程度の明るさを有する場合、低輝度状態を利用して通常のＸ線写真フィルムＦの観察をすることもできる。例えば、フィルム支持部５の奥までフィルムＦを差し込まなければ、フィルムＦは支持部５によって支持されているけれどもサブスイッチ７はＯＮにならず、低輝度状態のままである。これを利用して、支持部５へのフィルム差込量を小さくすることで、低輝度状態での観察を行える。
【００３８】
また、このような使用方法は、低輝度状態の輝度が小さい場合（１０００ｃｄ／ｍ２程度）であっても行える。例えば、フィルムＦを支持部５に差したまま観察を中断したい場合には、フィルムＦが支持部５から完全に抜けない程度にフィルムＦを引き下げてフィルム検出部７をＯＦＦにすることで低輝度状態に切り替えることができ、消費電力の節約が図れる。
このように、シャウカステン１は、支持部５へのフィルム差込量によって輝度を調整可能に構成されている。
【００３９】
また、フィルムＦを支持部５に差しても、高輝度状態としない為の他の方法としては、フィルム検出部７の間の位置に差してもよい。この場合、フィルムＦを支持部５の奥まで差し込んでも高輝度状態にならず、差込量の微妙な調整無しで低輝度状態を維持できる。
このように、シャウカステン１は、支持部５へのフィルム差込位置によって輝度を調整可能に構成されている。
【００４０】
ここで、フィルム差込量又はフィルム差込位置による輝度調整は、低輝度・高輝度の２段階調整だけでなく、多段階又は連続的な輝度の調整に用いても良い。
【００４１】
図８は、調光部２６の変形例を示している。この調光部２６では、調光抵抗２５が第１可変抵抗（輝度調整部）によって構成されている。また、サブスイッチ７に対して第２可変抵抗（輝度調整部）２７が接続されている。第１可変抵抗２５及び第２可変抵抗２７は、それぞれ装置ケーシング３に設けられ、観察者が手で抵抗値を調整することができる。
第１可変抵抗２５を調整すると、低輝度状態における輝度を微調整でき、観察者の好みに応じて低輝度状態の輝度をカスタマイズすることができる。また、第２可変抵抗２７を調整すると、高輝度状態における輝度を微調整でき、観察者の好みに応じて高輝度状態の輝度をカスタマイズすることができる。なお、調整範囲としては２０００ｃｄ／ｍ２程度とすることができる。
【００４２】
本発明は、上記実施形態に限定されるものではない。例えば、サブスイッチとなる検出部７は、マイクロスイッチに代えてフォトカプラなどの光センサ、あるいはその他のセンサであってもよい。さらに、サブスイッチは、フィルムを検出して自動的に輝度を切り替えるものに限らず、手動で低輝度と高輝度を切り替えるものであってもよい。
また、調光制御を外付け抵抗で行うのではなく、サブスイッチに基づいて発生した信号によって行っても良い。調光方式としては、ＰＷＭ調光、電圧調光、電流調光のいずれでも採用できる。
さらに、光源は、光源ユニット１として構成されている必要はない。
【００４３】
【発明の効果】
本発明に依れば、フィルム観察装置の光源を消灯しなくとも、眩しさを低減することができる。
【図面の簡単な説明】
【図１】シャウカステンの正面図である。
【図２】シャウカステンの側面図である。
【図３】図１のＡ−Ａ線断面図である。
【図４】装置ハウジングの内部構造図である。
【図５】光源ユニットの斜視図である。
【図６】インバータとランプの接続状態図である。
【図７】シャウカステンの電気回路図である。
【図８】調光部の変形例を示す回路図である。
【符号の説明】
１  シャウカステン（フィルム観察装置）
２  発光観察面
５  フィルム支持部
７  フィルム検出部（サブスイッチ）
８  光源
２４  メインスイッチ
２５  調光抵抗（輝度調整部）
２７  第２可変抵抗（輝度調整部）
【図１】
2005010297.tif 000003
【図２】
2005010297.tif 000004
【図３】
2005010297.tif 000005
【図４】
2005010297.tif 000006
【図５】
2005010297.tif 000007
【図６】
2005010297.tif 000008
【図７】
2005010297.tif 000009
【図８】
2005010297.tif 000010